(57)【特許請求の範囲】
【請求項１】
燃料タンクからの供給燃料により駆動される内燃機関（１０１）と、車載バッテリ（１０７）からの電力供給により駆動される電気モータ（１０２）とを備えたハイブリッド車両（１００）において、前記内燃機関の燃料の推奨給油量を提示する推奨給油量提示装置であって、
前記内燃機関による、単位期間当りの燃料消費量を算出する燃料消費量算出手段（２０１、Ｓ３０４）と、
燃料が劣化するまでの劣化期間を推定する推定手段（２０４、Ｓ３０１、Ｓ３０３）と、
前記燃料消費量算出手段によって算出された単位期間当りの燃料消費量を考慮して、前記推定手段により推定された前記劣化期間内に消費される消費予定燃料量を算出し、当該消費予定燃料量に基づいて、推奨給油量を算出する推奨給油量算出手段（２０５、Ｓ３０５）と、
前記推奨給油量算出手段によって算出された前記推奨給油量を、前記ハイブリッド車両の乗員に報知する報知手段（２０６、Ｓ３０７）と、
前記燃料タンク内の燃料の残量を検出する検出手段（２０２）と、を備え、
前記推奨給油量算出手段は、前記消費予定燃料量から前記検出手段によって検出された燃料の残量を差し引くことによって、前記推奨給油量を算出し、
前記推定手段は、前記燃料タンク内に所定量以上の燃料が残されている場合、当該燃料の残量に応じて前記劣化期間を補正するものであり、燃料の残量が多いほど、前記劣化期間が短くなるように、前記劣化期間を補正することを特徴とする推奨給油量提示装置。
【請求項２】
燃料タンクからの供給燃料により駆動される内燃機関（１０１）と、車載バッテリ（１０７）からの電力供給により駆動される電気モータ（１０２）とを備えたハイブリッド車両（１００）において、前記内燃機関の燃料の推奨給油量を提示する推奨給油量提示装置であって、
前記内燃機関による、単位期間当りの燃料消費量を算出する燃料消費量算出手段（２０１、Ｓ３０４）と、
燃料が劣化するまでの劣化期間を推定する推定手段（２０４、Ｓ３０１、Ｓ３０３）と、
前記燃料消費量算出手段によって算出された単位期間当りの燃料消費量を考慮して、前記推定手段により推定された前記劣化期間内に消費される消費予定燃料量を算出し、当該消費予定燃料量に基づいて、推奨給油量を算出する推奨給油量算出手段（２０５、Ｓ３０５）と、
前記推奨給油量算出手段によって算出された前記推奨給油量を、前記ハイブリッド車両の乗員に報知する報知手段（２０６、Ｓ３０７）と、
前記燃料タンク内の燃料の残量を検出する検出手段（２０２）と、を備え、
前記推奨給油量算出手段は、前記消費予定燃料量から前記検出手段によって検出された燃料の残量を差し引くことによって、前記推奨給油量を算出し、
前記推定手段は、前記燃料タンク内に所定量以上の燃料が残されている場合、前回の給油からの経過期間に応じて前記劣化期間を補正するものであり、前回の給油からの経過期間が長くなるほど、前記劣化期間が短くなるように、前記劣化期間を補正することを特徴とする推奨給油量提示装置。
【請求項３】
前記推定手段は、前記燃料タンク内に所定量以上の燃料が残されている場合、前回の給油からの経過期間に応じて前記劣化期間を補正するものであり、前回の給油からの経過期間が長くなるほど、前記劣化期間が短くなるように、前記劣化期間を補正することを特徴とする請求項１に記載の推奨給油量提示装置。
【請求項４】
前記推奨給油量算出手段により求められた前記消費予定燃料量よりも、前記燃料タンク内の燃料の残量が多い場合、前記報知手段は、前記乗員に対して給油しないことを推奨する報知を行うことを特徴とする請求項１乃至３のいずれか１項に記載の推奨給油量提示装置。
【請求項５】
前記推奨給油量算出手段は、前記消費予定燃料量が前記燃料タンクの最大容量を超えている場合、前記燃料タンクの最大容量に相当する燃料量を、前記消費予定燃料量として算出することを特徴とする請求項１乃至４のいずれか１項に記載の推奨給油量提示装置。
【請求項６】
前記乗員の給油しようとする意思を判定する判定手段を備え、
前記判定手段によって、給油しようとする前記乗員の意思が判定されたときに、前記報知手段が報知を行うことを特徴とする請求項１乃至５のいずれか１項に記載の推奨給油量提示装置。
【請求項７】
前記推奨給油量の報知を行わせるために、前記乗員によって操作される操作部材を備え、
前記操作部材が操作されたとき、前記報知手段が報知を行うことを特徴とする請求項１乃至５のいずれか１項に記載の推奨給油量提示装置。
【発明の詳細な説明】
【技術分野】
【０００１】
本発明は、燃料タンクからの供給燃料により駆動される内燃機関と、車載バッテリからの電力供給により駆動される電気モータとを備えたハイブリッド車両において、燃料タンクに給油するための推奨給油量を提示する推奨給油量提示装置に関する。
【背景技術】
【０００２】
例えば、特許文献１に、ハイブリッド車両において、内燃機関の燃料劣化を抑制するための制御装置が開示されている。この制御装置は、まず、現在を起点として、燃料給油までの日数、もしくは、燃料ゼロになるまでに要する日数が経過する燃料給油タイミングを推定する。さらに、現在を起点として、燃料劣化までに要する日数が経過する燃料劣化タイミングを推定する。燃料給油タイミングが、燃料劣化タイミングよりも遅い場合、基本制御から劣化抑制制御へ切り替えて、内燃機関の駆動率を高めることにより、燃料消費を促進する。
【先行技術文献】
【特許文献】
【０００３】
【特許文献１】特開２０１２−１６６７７７号公報
【発明の概要】
【発明が解決しようとする課題】
【０００４】
上述したように、特許文献１の制御装置では、基本制御から劣化抑制制御へ切り換えることで、燃料消費を促進し、燃料劣化に到る前に、燃料を使い切るようにしている。しかしながら、劣化抑制制御が実行されると、基本制御よりも内燃機関が駆動される機会が増えるので、その分だけ燃費の悪化を招くという問題が生じる。
【０００５】
本発明は、上述した点に鑑みてなされたものであり、燃費の悪化を招くことなく、燃料の劣化を防ぐことを可能とする推奨給油量提示装置を提供することを目的とする。
【課題を解決するための手段】
【０００６】
上記目的を達成するために、第１発明に係る推奨給油量提示装置は、
燃料タンクからの供給燃料により駆動される内燃機関（１０１）と、車載バッテリ（１０７）からの電力供給により駆動される電気モータ（１０２）とを備えたハイブリッド車両（１００）において、内燃機関の燃料の推奨給油量を提示するものであって、
内燃機関による、単位期間当りの燃料消費量を算出する燃料消費量算出手段（２０１、Ｓ３０４）と、
燃料が劣化するまでの劣化期間を推定する推定手段（２０４、Ｓ３０１、Ｓ３０３）と、
燃料消費量算出手段によって算出された単位期間当りの燃料消費量を考慮して、推定手段により推定された劣化期間内に消費される消費予定燃料量を算出し、当該消費予定燃料量に基づいて、推奨給油量を算出する推奨給油量算出手段（２０５、Ｓ３０５）と、
推奨給油量算出手段によって算出された推奨給油量を、ハイブリッド車両の乗員に報知する報知手段（２０６、Ｓ３０７）と、
燃料タンク内の燃料の残量を検出する検出手段（２０２）と、を備え、
推奨給油量算出手段は、消費予定燃料量から検出手段によって検出された燃料の残量を差し引くことによって、推奨給油量を算出し、
推定手段は、燃料タンク内に所定量以上の燃料が残されている場合、当該燃料の残量に応じて劣化期間を補正するものであり、燃料の残量が多いほど、劣化期間が短くなるように、劣化期間を補正することを特徴とする。
また、上記目的を達成するために、第２発明に係る推奨給油量提示装置は、
燃料タンクからの供給燃料により駆動される内燃機関（１０１）と、車載バッテリ（１０７）からの電力供給により駆動される電気モータ（１０２）とを備えたハイブリッド車両（１００）において、内燃機関の燃料の推奨給油量を提示する推奨給油量提示装置であって、
内燃機関による、単位期間当りの燃料消費量を算出する燃料消費量算出手段（２０１、Ｓ３０４）と、
燃料が劣化するまでの劣化期間を推定する推定手段（２０４、Ｓ３０１、Ｓ３０３）と、
燃料消費量算出手段によって算出された単位期間当りの燃料消費量を考慮して、推定手段により推定された劣化期間内に消費される消費予定燃料量を算出し、当該消費予定燃料量に基づいて、推奨給油量を算出する推奨給油量算出手段（２０５、Ｓ３０５）と、
推奨給油量算出手段によって算出された推奨給油量を、ハイブリッド車両の乗員に報知する報知手段（２０６、Ｓ３０７）と、
燃料タンク内の燃料の残量を検出する検出手段（２０２）と、を備え、
推奨給油量算出手段は、消費予定燃料量から検出手段によって検出された燃料の残量を差し引くことによって、推奨給油量を算出し、
推定手段は、燃料タンク内に所定量以上の燃料が残されている場合、前回の給油からの経過期間に応じて劣化期間を補正するものであり、前回の給油からの経過期間が長くなるほど、劣化期間が短くなるように、劣化期間を補正することを特徴とする。
【０００７】
従来は、燃料給油タイミングが、燃料劣化タイミングよりも遅い場合に、基本制御を劣化抑制制御に切り替えて、燃料消費を促進することにより、燃料の劣化を抑制していた。ここで、劣化抑制制御が行われた場合、その車両の使用状況などからすると、燃料タンク内に過剰な量の燃料が蓄積されていることを意味する。このため、燃料給油タイミングが到来して、乗員が給油を行うごとに、それ以前と同じ量の燃料の給油を行った場合、劣化抑制制御も繰り返し実行される可能性が高くなる。その結果、燃費が悪化した状態が継続的に発生する虞が生じる。
【０００８】
その点、第１及び第２発明に係る推奨給油量提示装置によれば、単位期間当りの燃料消費量を考慮して、劣化期間内に消費される消費予定燃料量を算出し、その消費予定燃料量に基づいて算出される推奨給油量をハイブリッド車両の乗員に報知する。このため、乗員は、該当する車両の使用状況などからして、燃料劣化が生じずに使い切れる適切な給油量を知ることができる。従って、報知された推奨給油量に従って燃料の給油を行うことにより、燃費の悪化を招くこと無く、燃料の劣化を防ぐことが可能となる。
【０００９】
上記括弧内の参照番号は、本発明の理解を容易にすべく、後述する実施形態における具体的な構成との対応関係の一例を示すものにすぎず、なんら本発明の範囲を制限することを意図したものではない。
【００１０】
また、上述した特徴以外の、特許請求の範囲の各請求項に記載した技術的特徴に関しては、後述する実施形態の説明及び添付図面から明らかになる。
【図面の簡単な説明】
【００１１】
【図１】実施形態による推奨給油量提示装置が適用されるプラグインハイブリッド車両１００の要部構成を示した図である。
【図２】実施形態による推奨給油量提示装置を構成するＥＣＵが有する機能を示した機能ブロック図である。
【図３】実施形態による推奨給油量提示装置を構成するＥＣＵによって実行される演算処理の流れを示したフローチャートである。
【図４】残存燃料の影響によって、燃料劣化までの日数を補正するための補正値の算出に用いるマップの一例を示した図である。
【図５】残存燃料がない場合の、推奨最大給油量の算出手法について説明するための説明図である。
【図６】残存燃料がある場合の、推奨最大給油量の算出手法について説明するための説明図である。
【図７】（ａ）は、推奨最大給油量を含むメッセージの例を示し、（ｂ）は、給油しないことを推奨するメッセージの例を示した図である。
【発明を実施するための形態】
【００１２】
以下、本発明の実施の形態に係る推奨給油量提示装置を図面に基づいて説明する。まず、図１を参照して、本実施形態による推奨給油量提示装置が適用されるプラグインハイブリッド車両１００の要部構成について説明する。
【００１３】
プラグインハイブリッド車両１００は、詳しくは後述するように、車両の外部電源から車載バッテリ１０７を充電可能に構成されている。このため、充電が定期的に実行されて、車載バッテリ１０７の充電状態が所定レベル以上に保持されていると、内燃機関（エンジン）１０１の駆動率が低下し、燃料の消費量が極僅かになることがあるので、燃料の劣化（燃料の酸化があるレベルまで進行した状態）が生じやすくなる。そのため、プラグインハイブリッド車両に、本実施形態による推奨給油量提示装置を適用すると、乗員は、燃料の劣化を生じない適切な給油量を認識することができるため、特に大きな効果が見込める。なお、以下に示す例では、ハイブリッドの形式として、いわゆるパラレル型のハイブリッドについて説明するが、シリーズ側のハイブリッド、あるいはシリーズ−パラレル型のハイブリッドであっても良い。
【００１４】
また、本実施形態に係る推奨給油量提示装置は、外部電源による充電機能を備えていないハイブリッド車両に適用しても良い。ハイブリッド車両は、エンジンだけを搭載した一般的な車両に比較して、燃費が向上する。従って、例えば車両の使用頻度が低く、走行距離も短い場合などは、タンク内の燃料の消費に長期間を要し、燃料の劣化が生じる場合もあり得るためである。
【００１５】
図１に示すように、プラグインハイブリッド車両１００は、エンジン１０１とモータジェネレータ（以下、ＭＧという）１０２とを駆動力源として備えている。エンジン１０１は、ガソリンエンジンやディーゼルエンジンなど、燃料を燃焼することにより駆動力を発生するものである。なお、図１には図示しないが、プラグインハイブリッド車両１００には、エンジン１０１に供給する燃料を蓄えておく燃料タンク、及びその燃料タンク内の燃料を汲み上げてエンジン１０１に供給する燃料ポンプなども設けられている。
【００１６】
エンジン１０１とＭＧ１０２とは、クラッチ１０５を介して直列に接続されている。さらに、エンジン１０１及びＭＧ１０２によって駆動されるドライブシャフトは、デファレンシャルギヤ１０４を介して、駆動輪１０６の駆動軸に接続されている。従って、エンジン１０１及び／又はＭＧ１０２は、ドライブシャフト、デファレンシャルギヤ１０４、及び駆動軸を介して駆動輪１０６に駆動力または制動力を付与することが可能となっている。
【００１７】
変速機１０３はエンジン１０１の出力軸の回転を変速して出力する。変速機１０３の出力軸とＭＧ１０２の回転軸であるドライブシャフトとの間にはクラッチ１０５が設けられている。このクラッチ１０５によって、変速機１０３の出力軸とドライブシャフトとの間の動力の伝達が断続される。クラッチ１０５を切断した場合、エンジン１０１の出力軸（変速機１０３の出力軸）は、ドライブシャフトから切り離される。この状態では、ＭＧ１０２だけが、駆動輪１０６に駆動力や制動力を付与することができるＥＶモードとなる。このＥＶモードでは、エンジン１０１の駆動は停止される。一方、クラッチ１０５を接続した場合、エンジン１０１の出力軸（変速機１０３の出力軸）は、ドライブシャフトに連結される。この状態では、エンジン１０１及びＭＧ１０２が、駆動輪１０６に駆動力や制動力を付与することができるＨＶモードとなる。なお、ＨＶモードにおいて、ＭＧ１０２が駆動力を発生しない場合には、駆動輪１０６は、エンジン１０１によって発生される駆動力のみで駆動されることになる。
【００１８】
ＭＧ１０２は、例えば３相交流同期モータからなり、車載バッテリ１０７に蓄えられた電力の供給を受けて、駆動力を発生する。また、ＭＧ１０２は、プラグインハイブリッド車両１００の減速時に、駆動輪１０６により回転駆動されたときに発電する。この場合、駆動輪１０６には、ＭＧ１０２が発電する電力に応じた制動力が作用する。ＭＧ１０２によって発電された電力は、インバータ１０８を介して車載バッテリ１０７に供給され、車載バッテリ１０７を充電する。
【００１９】
車載バッテリ１０７は、充放電可能な蓄電池であり、例えば、ニッケル水素バッテリやリチウムイオンバッテリからなる。この車載バッテリ１０７は、インバータ１０８に電力を供給するとともに、インバータ１０８から供給される電力により充電される。
【００２０】
インバータ１０８はＭＧ−ＥＣＵ１１０からの指令に基づいて動作する。ＭＧ−ＥＣＵ１１０は、レゾルバ等の回転速度センサを用いてＭＧ１０２の回転位置や回転速度を逐次検出する。そして、ＭＧ−ＥＣＵ１１０は、検出した回転位置や回転速度に基づき、ハイブリッドＥＣＵ（以下、ＨＶ−ＥＣＵ）１１３から与えられる指令信号が示す駆動力または回生制動力に見合う駆動トルクや制動トルクをＭＧ１０２が発生するように、インバータ１０８を制御する。
【００２１】
ＨＶ−ＥＣＵ１１３は、車載バッテリ１０７に蓄えられている電力量、アクセルペダルセンサ１１６によって検出されるアクセルペダルの操作量、及び、図示しない車速センサによって検出される走行速度などに基づき、ＥＶモードとするか、ＨＶモードとするかを決定する。例えば、車載バッテリ１０７にＭＧ１０２の駆動のために十分な電力が蓄えられており、アクセルペダル操作量及び走行速度から算出される運転者の要求駆動力が、ＭＧ１０２によって発生できる最大駆動トルクに相当する駆動力以下である場合、ＥＶモードにする。一方、車載バッテリ１０７に蓄電されている電力レベルが低下したり、ＭＧ１０２が最大駆動トルクを発生させても、運転者の要求駆動力に対して駆動力が不足したりする場合には、ＨＶモードにする。ＨＶモードにすると決定した場合、ＨＶ−ＥＣＵ１１３は、さらに、予め記憶されている動力配分比決定マップを用いて、エンジン１０１とＭＧ１０２との動力配分比を決定する。そして、その決定した動力配分比に基づいて、エンジン／変速機ＥＣＵ１０９とＭＧ−ＥＣＵ１１０とにそれぞれ動力指令値（指令信号）を出力する。
【００２２】
また、ＨＶ−ＥＣＵ１１３は、ブレーキペダルセンサ１１７によって検出されるブレーキペダルの操作量に基づいて必要制動力を決定する。そして、その必要性動力の範囲内で、ＭＧ１０２による回生制動力を決定し、その決定した回生制動力に対応する制動トルクの発生を指示する指令信号をＭＧ−ＥＣＵ１１０へ出力する。また、回生制動力だけでは制動力が不足する場合、その不足する制動力が、各車輪に設けられたブレーキ装置によって発生されるように、ＨＶ−ＥＣＵ１１３は、図示しないブレーキＥＣＵへも指令信号を出力する。
【００２３】
さらに、ＨＶ−ＥＣＵ１１３は、温度センサ１１８によって検出される車載バッテリ１０７の温度、電流センサ１１９によって検出される車載バッテリ１０７の入出力電流値を取り込む。また、ＨＶ−ＥＣＵ１１３は、車載バッテリ１０７の電圧を監視する。そして、車載バッテリ１０７の入出力電流、電圧、温度に基づいて、公知の方法で車載バッテリ１０７の電力の蓄電レベルを示す、ＳＯＣ（State of Charge）を算出する。
【００２４】
エンジン／変速機ＥＣＵ１０９は、ＨＶ−ＥＣＵ１１３から入力された動力指令値及び走行速度に応じて、変速機１０３の出力軸の動力出力が動力指令値になるようにエンジン１０１及び変速機１０３を制御する。なお、ＨＶ−ＥＣＵ１１３から入力された動力指令値が正の場合（すなわち、ＨＶモードの場合）には、エンジン／変速機ＥＣＵ１０９は、クラッチ１０５を連結して、エンジン１０１とＭＧ１０２とを接続する。一方、ＨＶ−ＥＣＵ１１３から入力された動力指令値がゼロの場合（すなわち、ＥＶモードの場合）には、エンジン／変速機ＥＣＵ１０９は、クラッチ１０５を切断して、エンジン１０１及び変速機１０３の引きずり損失を回避する。
【００２５】
充電器１１５は、車両外部の電源から供給される電力を用いて、車載バッテリ１０７を充電するものである。この充電器１１５には、充電コネクタ１１４が接続されている。この充電コネクタ１１４が、外部電源、例えば、家庭用の電源コンセントに差し込まれることにより、充電器１１５に、外部電源からの電力が供給される。そして、充電器１１５は、供給された電力に対して、交流電力を直流電力に変換するとともに、車載バッテリ１０７の電圧レベルへ変換した後に、車載バッテリ１０７に出力する。このようにして、外部電源から供給される電力を用いて、車載バッテリ１０７を充電することができる。
【００２６】
以上のような構成を備えたプラグインハイブリッド車両１００が、例えば、１回の走行距離は、ほぼＥＶモードでの走行可能範囲内であり、その走行後には、外部電源による充電を欠かさず行うような使用状況にて使用された場合、エンジン１０１の燃料の消費量は極僅かに留まることになる。そのため、乗員が、給油時に、例えば燃料タンクを満タンにしてしまうと、長期間、燃料タンク内の燃料を使い切ることができず、燃料の劣化が生じる可能性が高まる。
【００２７】
そこで、本実施形態に関わる推奨給油量提示装置は、車両の使用状況などからして、燃料劣化が生じずに使い切れる適切な給油量を乗員に報知できるようにした。このため、乗員が、報知された給油量に従って燃料の給油を行うことにより、従来のように、燃料の消費を促進する制御を行わずに済むので、燃費の悪化を招くこと無く、燃料の劣化を防ぐことが可能となる。
【００２８】
以下、本実施形態に係る推奨給油量提示装置について詳細に説明する。本実施形態に係る推奨給油量提示装置は、図２に示すように、主として、各種センサからの検出結果などに基づき、推奨最大給油量を算出するための演算処理を行うＥＣＵ２００と、算出された推奨最大給油量を車両の乗員（ユーザ）に通知するユーザ通知部２１０とからなる。
【００２９】
ＥＣＵ２００は、図１において説明した、ＭＧ−ＥＣＵ１１０、ＨＶ−ＥＣＵ１１３、エンジン／変速機ＥＣＵ１０９のいずれかであっても良いし、別途、専ら推奨最大給油量の算出のために設けられた専用のＥＣＵであっても良い。
【００３０】
ユーザ通知部２１０としては、例えば、ＥＣＵ２００から出力されるユーザ通知情報に基づいて、推奨最大給油量を含む各種のメッセージを表示可能なディスプレイを用いることができる。ただし、このユーザ通知部２１０は、ディスプレイに限られず、例えば、推奨最大給油量を含む各種のメッセージを音声にて報知するスピーカであっても良い。
【００３１】
次に、図２の機能ブロック図を参照しつつ、ＥＣＵ２００が、推奨最大給油量算出のために備える機能について説明する。
【００３２】
まず、ＥＣＵ２００は、燃料消費量記録部２０１を有する。この燃料消費量記録部２０１は、エンジン／変速機ＥＣＵ１０９からエンジン１０１にて消費された燃料量に関する情報を得て、所定の時間単位（例えば１日）ごとに区分けしつつ記録する。さらに、燃料消費量記録部２０１は、所定の時間単位で区分けして記録された燃料量に基づいて、単位期間（例えば、１日、１週間など）当りの燃料消費量を算出する。なお、燃料消費量記録部２０１は、後述する残燃料検知部からの残量燃料の所定の時間単位ごとの変化から、所定の時間単位での燃料消費量を示す情報を得ることも可能である。
【００３３】
残燃料検知部２０２は、燃料タンクに設けられ、燃料タンク内の残存燃料量を検出する残量センサ（図示せず）から出力される検出信号に基づいて、残存燃料の量を算出して、後述する燃料劣化日数推定部２０４に出力する。
【００３４】
給油履歴記録部２０３は、給油が行われた場合に、給油日に関する履歴情報を記録する。なお、給油が行われたか否かは、残燃料検知部２０２によって検出される残存燃料が有意な増加を示したか否かにより判定される。さらに、給油履歴記録部２０３は、前回の給油日からの経過日数を算出して、後述する燃料劣化日数推定部２０４に出力する。
【００３５】
燃料劣化日数推定部２０４は、現時点で給油が行われた場合に、燃料タンク内の燃料が劣化するまでの日数を推定する。より詳細には、燃料タンク内に残存燃料がない場合には、周囲温度（又は季節に関する情報）、燃料タンクの密閉度合、車両が使用される地域（国）毎の燃料品質などに基づき、給油された燃料が劣化するまでの日数を推定する。周囲温度が高いほど、燃料タンクの密閉度合が低いほど、また、燃料品質が悪いほど、燃料の劣化が進みやすいためである。
【００３６】
一方、燃料タンク内に残存燃料がある場合には、その残存燃料が給油されてからの経過日数及び残存燃料の量に応じて、上記のようにして推定された燃料劣化までの日数に対する補正日数を算出する。なお、補正日数は、給油からの経過日数が長くなるほど、及び残存燃料の量が多くなるほど、長くなるように算出される。そして、推定された燃料劣化までの日数から補正日数を減じて、燃料劣化までの推定日数を算出する。燃料タンク内に残存燃料がある場合、その残存燃料は、給油からの経過日数に応じて、ある程度、酸化が進んでいる状態である。そのため、新たに給油された燃料と混合された場合、その混合燃料が劣化するまでの日数は、残存燃料が無く、新たに給油された燃料だけの場合と比較して短くなる。その短くなる度合は、残存燃料の量、及び給油からの経過日数に応じて変化する。そのため、上記したように、給油からの経過日数及び残存燃料の量に応じて補正日数を算出し、その補正日数の分だけ、劣化までの推定日数を短くするのである。
【００３７】
推奨給油量算出部２０５は、燃料消費量記録部２０１にて算出された単位期間当りの燃料消費量と、燃料劣化日数推定部２０４にて算出された燃料劣化までの推定日数とに基づき、燃料劣化までの日数の間に消費されるであろう消費予定燃料量を算出する。この消費予定燃料量は、単位期間当りの燃料消費量を、燃料劣化までの推定日数分だけ積算することにより算出することができる。ただし、推奨給油量算出部２０５は、消費予定燃料量が、燃料タンクの最大容量を超えている場合には、燃料タンクの最大容量を、消費予定燃料量とする。燃料タンクの最大容量を超える燃料量を、推奨最大給油量として算出してしまうことを回避するためである。
【００３８】
推奨給油量算出部２０５は、さらに、残燃料検知部２０２から出力される残存燃料の量に基づいて、推奨最大給油量を算出する。具体的には、残存燃料の量が実質的にゼロである場合には、消費予定燃料量を推奨最大給油量とする。一方、残存燃料の量が実質的にゼロではない場合には、消費予定燃料量から残存燃料の量を差し引くことによって、推奨最大給油量を算出する。なお、消費予定燃料量が、残存燃料の量と同等以下の場合には、推奨最大給油量は、０以下の値を取る。このようにして算出された推奨最大給油量は、ユーザ通知情報生成部２０６に出力される。
【００３９】
ユーザ通知情報生成部２０６は、推奨給油量算出部２０５によって算出された推奨最大給油量を乗員に通知するためのユーザ通知情報を生成して、ユーザ通知部２１０に出力する。このユーザ通知情報により、ユーザ通知部２１０において、推奨最大給油量を通知するメッセージが表示される。なお、推奨最大給油量が０以下の場合、ユーザ通知情報生成部２０６は、給油しないことを推奨するメッセージをユーザ通知部２１０に表示するためのユーザ通知情報を出力する。
【００４０】
次に、推奨最大給油量を乗員に通知するために、ＥＣＵ２００において実行される演算処理の流れについて、図３のフローチャートを参照しつつ、説明する。なお、図３のフローチャートに示す処理は、乗員の給油しようとする意思が判定されたときに実行されることが好ましい。乗員の給油しようとする意思の判定は、例えば、プラグインハイブリッド車両１００の燃料の給油口の蓋を開くためのオープナーが操作されたか否かにより行うことができる。これにより、乗員の給油しようとする意思が確認され、かつ給油前に、車両の乗員（運転者など）に推奨最大給油量を通知することができるようになる。
【００４１】
あるいは、推奨最大給油量の表示を指示するための操作スイッチを設け、その操作スイッチが操作されたときに、図３のフローチャートに示す処理を実行するようにしても良い。これにより、車両の乗員は、給油前の所望の時期に操作スイッチを操作することにより、推奨最大給油量を把握することができる。
【００４２】
図３のフローチャートに示す処理が開始されると、まず、ステップＳ３０１において、上述したように、周囲温度（季節に関する情報）、燃料タンクの密閉度合、車両の使用地域（国）の燃料品質などの情報に基づいて、燃料が劣化するまでの期間（日数）を推定する。続くステップＳ３０２では、残量センサから出力される検出信号に基づいて、残存燃料の量を算出するとともに、実質的に残存燃料が有るか否かを判定する。つまり、この判定処理においては、残存燃料の量と所定の下限値とを比較し、残存燃料の量が下限値以上であれば残存燃料が有り、下限値未満であれば残存燃料なしと判定する。残存燃料ありと判定された場合には、ステップＳ３０３の処理に進み、残存燃料なしと判定された場合には、ステップＳ３０４の処理に進む。
【００４３】
ステップＳ３０３では、残存燃料の影響によって燃料劣化までの日数が短くなるので、ステップＳ３０１にて推定された期間に対する補正値を算出する。具体的には、残存燃料が給油された前回給油からの経過日数と、その残存燃料の量に基づき、例えば図４に示すようなマップから補正値を算出する。図４に示すマップは、前回給油からの経過日数が長くなるほど、及び残存燃料の量が多くなるほど、補正値（日数）が長くなるように定められている。
【００４４】
ステップＳ３０４では、所定の時間単位で記録された消費燃料量に基づいて、単位期間当りの燃料消費量を算出する。これにより、該当する車両の使用状況に応じた、単位期間当りの燃料消費量が得られる。
【００４５】
そして、ステップＳ３０５では、推奨最大給油量を算出する。この推奨最大給油量の算出は、以下のようにして行われる。まず、図５に示すように、ステップＳ３０１にて推定された燃料劣化までの日数と、ステップＳ３０４にて算出された単位期間当りの燃料消費量とに基づき、燃料劣化までの日数の間に消費されるであろう消費予定燃料量（消費上限燃料量）を算出する。ただし、算出された消費予定燃料量が、燃料タンクの最大容量を超えている場合には、燃料タンクの最大容量を、消費予定燃料量とする。次に、消費予定燃料量と、残存燃料の量とに基づいて、推奨最大給油量を算出する。具体的には、残存燃料の量が実質的にゼロである場合には、消費予定燃料量を推奨最大給油量とする。一方、残存燃料の量が実質的にゼロではない場合には、図６に示すように、消費予定燃料量から残存燃料の量を差し引くことによって、推奨最大給油量を算出する。なお、図６に示す例では、残存燃料があるため、燃料劣化タイミングが、その残存燃料が給油されてからの経過日数及びその残存燃料の量に応じた補正日数だけ減じられている。
【００４６】
ステップＳ３０６では、ステップＳ３０５において算出された推奨最大給油量が０よりも大きいか否かを判定する。０よりも大きいと判定した場合、ステップＳ３０７に進んで、推奨最大給油量を乗員に通知するための通知情報をユーザ通知部２１０に出力する。この場合、例えば図７（ａ）に示すような、推奨最大給油量を含むメッセージが、ユーザ通知部２１０のディスプレイに表示される。なお、推奨最大給油量は、車両を通常通りの使用状況にて使用した場合に適した給油量であり、長距離移動を予定している場合には、より多くの給油が必要となる。そのため、メッセージには、その旨を注意喚起するための内容を含んでいる。
【００４７】
一方、ステップＳ３０６において、推奨最大給油量は０以下と判定した場合、適量以上の燃料が燃料タンク内に残されているので、ステップＳ３０８に進んで、乗員に給油しないことを推奨するための通知情報をユーザ通知部２１０に出力する。この場合、例えば図７（ｂ）に示すような、給油しないことを勧めるメッセージが、ユーザ通知部２１０のディスプレイに表示される。
【００４８】
そして、ステップＳ３０９では、残存燃料の量の変化に基づき、給油がなされたか否かを判定する。この判定処理において、給油がなされたと判定した場合には、ステップＳ３１０に進んで、給油がなされた日を示す情報（給油履歴情報）をメモリに記録する。
【００４９】
以上、説明したように、本実施形態に係る推奨給油量提示装置によれば、乗員は、車両の使用状況などからして、燃料劣化が生じずに使い切れる適切な給油量を知ることができる。従って、報知された推奨給油量に従って燃料の給油を行うことにより、燃費の悪化を招くこと無く、燃料の劣化を防ぐことが可能となる。
【符号の説明】
【００５０】
１００…プラグインハイブリッド車両
２００…ＥＣＵ
２０１…燃料消費量記録部
２０２…残燃料量検知部
２０３…給油履歴記録部
２０４…燃料劣化日数推定部
２０５…推奨給油量算出部
２０６…ユーザ通知情報生成部
２１０…ユーザ通知部
【図１】
0006308038.tif 000002
【図２】
0006308038.tif 000003
【図３】
0006308038.tif 000004
【図４】
0006308038.tif 000005
【図５】
0006308038.tif 000006
【図６】
0006308038.tif 000007
【図７】
0006308038.tif 000008